(57)【特許請求の範囲】
【請求項１】
少なくとも一角部を形成するように室内床の一部に配設される畳体とこの畳体の外周に配設される床板との境界部分に沿わせるようにして前記一角部に向けてそれぞれ配設される見切具の一角部側端部における見切接続具であって、
前記各見切具の略４５度にそれぞれ切断された一角部側端部が対向配置されて形成される隙間を覆うとともにこれら見切具の一角部側端部の上面を覆う接続カバー部材を備えており、
前記接続カバー部材は、前記隙間に沿うようにして略帯板状に形成されたカバー本体部と、このカバー本体部に一体的に形成され、前記隙間に挿入される挿入片部と、を備えていることを特徴とする見切接続具。
【請求項２】
請求項１において、
前記カバー本体部には、前記見切具と前記畳体との間に差し込まれる差込片部が設けられていることを特徴とする見切接続具。
【請求項３】
請求項１または２において、
前記見切具は、前記床板と前記畳体との間の床下地に固定される見切受部材と、この見切受部材に取り付けられて該見切受部材を覆い、前記隙間を形成する見切カバー部材と、を備えた構成とされており、
前記接続カバー部材の挿入片部には、前記見切カバー部材の一角部側端部の下面に係止される抜止突起が設けられていることを特徴とする見切接続具。
【請求項４】
請求項１または２において、
前記見切具は、前記床板と前記畳体との間の床下地に固定される見切受部材と、この見切受部材に取り付けられて該見切受部材を覆い、前記隙間を形成する見切カバー部材と、を備え、前記一角部に向けてそれぞれ配設される見切具の見切受部材の各一角部側端部が略９０度にそれぞれ切断されてこれら端部間にスペースが形成される構成とされており、
前記スペースにおいて床下地に固定されるカバー保持部材を更に備え、前記接続カバー部材の挿入片部が該カバー保持部材に係止されて保持される構造とされていることを特徴とする見切接続具。
【発明の詳細な説明】
【技術分野】
【０００１】
本発明は、室内床の一部に配設される畳体の一角部に向けて畳体と床板との境界部分に沿わせるようにしてそれぞれ配設される見切具の一角部側端部における見切接続具に関する。
【背景技術】
【０００２】
従来より、床下地にそれぞれ設置される畳と床板（フローリング材）との境界部分に沿って配設される見切材が知られている。
例えば、下記特許文献１では、床下地上に設置された畳の周辺に配設される見切材が提案されている。この見切材は、床下地に固定される下側部材と、この下側部材を覆う上側部材とが組み合わされてなり、組み合わされた際に畳及び周辺部材（床板）と略面一な高さとなるとともに断面形状が長方形となる構成とされている。
【先行技術文献】
【特許文献】
【０００３】
【特許文献１】特開２００６−２４１７０４号公報
【発明の概要】
【発明が解決しようとする課題】
【０００４】
ところで、このような見切材は、室内床の一部に畳コーナーを形成するように配設される畳の外周を囲むように配設され、床板と畳との境界部分に畳によって一角部（出隅部）が形成される場合がある。このような場合には、畳の一角部に向けてそれぞれ配設される見切材の各端部を略４５度に切断して端部同士を突き合わせて留継状に納める場合があるが、加工誤差や施工誤差等に起因してこれら端部間に隙間が生じることが考えられ、更なる改善が望まれていた。
【０００５】
本発明は、上記実情に鑑みてなされたものであり、室内床の一部に配設される畳体の一角部に向けてそれぞれ配設される見切具の一角部側端部を見栄え良く納め得る見切接続具を提供することを目的としている。
【課題を解決するための手段】
【０００６】
上記目的を達成するために、本発明に係る見切接続具は、少なくとも一角部を形成するように室内床の一部に配設される畳体とこの畳体の外周に配設される床板との境界部分に沿わせるようにして前記一角部に向けてそれぞれ配設される見切具の一角部側端部における見切接続具であって、前記各見切具の略４５度にそれぞれ切断された一角部側端部が対向配置されて形成される隙間を覆うとともにこれら見切具の一角部側端部の上面を覆う接続カバー部材を備えており、前記接続カバー部材は、前記隙間に沿うようにして略帯板状に形成されたカバー本体部と、このカバー本体部に一体的に形成され、前記隙間に挿入される挿入片部と、を備えていることを特徴とする。
【０００７】
本発明においては、前記カバー本体部に、前記見切具と前記畳体との間に差し込まれる差込片部を設けてもよい。
また、本発明においては、前記見切具を、前記床板と前記畳体との間の床下地に固定される見切受部材と、この見切受部材に取り付けられて該見切受部材を覆い、前記隙間を形成する見切カバー部材と、を備えた構成とし、前記接続カバー部材の挿入片部に、前記見切カバー部材の一角部側端部の下面に係止される抜止突起を設けてもよい。
また、本発明においては、前記見切具を、前記床板と前記畳体との間の床下地に固定される見切受部材と、この見切受部材に取り付けられて該見切受部材を覆い、前記隙間を形成する見切カバー部材と、を備えたものとし、前記一角部に向けてそれぞれ配設される見切具の見切受部材の各一角部側端部が略９０度にそれぞれ切断されてこれら端部間にスペースが形成される構成とし、当該見切接続具を、前記スペースにおいて床下地に固定されるカバー保持部材を更に備えたものとし、前記接続カバー部材の挿入片部が該カバー保持部材に係止されて保持される構造としてもよい。
【発明の効果】
【０００８】
本発明に係る見切接続具は、上述のような構成としたことで、室内床の一部に配設される畳体の一角部に向けてそれぞれ配設される見切具の一角部側端部を見栄え良く納めることができる。
【図面の簡単な説明】
【０００９】
【図１】（ａ）、（ｂ）は、いずれも本発明の一実施形態に係る見切接続具の一例を模式的に示し、図４におけるＸ部にそれぞれ対応させた一部破断概略拡大平面図である。
【図２】（ａ）は、同見切接続具の概略斜視図、（ｂ）は、同見切接続具の概略底面図、（ｃ）は、図１（ａ）におけるＹ−Ｙ線矢視に対応させて一部を省略した状態を示す一部破断概略分解縦断面図である。
【図３】（ａ）は、図１（ａ）におけるＹ−Ｙ線矢視に対応させて一部を省略した状態を示す一部破断概略縦断面図、（ｂ）は、同見切接続具を用いて端部が納められる見切具の一例を模式的に示し、図１（ａ）におけるＹ−Ｙ線矢視に対応させて一部を省略した状態を示す一部破断概略分解縦断面図である。
【図４】同見切具及び同見切接続具を用いて床板と畳体との境界部分を納めた状態を模式的に示す概略平面図である。
【図５】（ａ）、（ｂ）は、いずれも本発明の他の実施形態に係る見切接続具の一例を模式的に示し、図４におけるＸ部にそれぞれ対応させて一部を省略した状態を示す一部破断概略拡大斜視図である。
【図６】（ａ）は、図４におけるＸ部に対応させて一部を分解した状態を示す一部破断概略拡大斜視図、（ｂ）は、図４におけるＸ部に対応させた一部破断概略拡大斜視図である。
【発明を実施するための形態】
【００１０】
以下に本発明の実施の形態について、図面に基づいて説明する。
なお、一部の図では、他図に付している詳細な符号の一部を省略している。
また、以下の各実施形態では、見切接続具が施工された状態を基準として、上下方向等の方向を原則的に説明する。
【００１１】
図１〜図４は、第１実施形態に係る見切接続具の一例を模式的に示す図である。
本実施形態に係る見切接続具３は、図４に示すように、床板４と畳体５との境界部分に沿って配設される見切具１，１とによって、床板４と畳体５との境界部分を納める見切装置を構成する。
本実施形態では、少なくとも一角部（出隅部）５ｃを形成するように室内床の一部に畳体５を配設し、畳体５の外周に沿わせるようにして床板４を配設した例を示している。見切接続具３は、これら床板４と畳体５との境界部分に沿って一角部５ｃに向けてそれぞれ配設される見切具１，１の一角部側端部１５，１５を接続するようにして納める構成とされている。
図例では、複数枚の畳体５の最外周の隣接する二側部を建物内の隣接する二壁面８，８に沿わせるようにして配設し、これら複数枚の畳体５の最外周の他の二側部に沿わせるようにして床板４を配設して室内床の一部に畳コーナーを形成した例を示している。
【００１２】
なお、図例では、複数枚の畳体５として、九枚の半帖畳を例示しているが、このような枚数に限られず、また、一帖畳としてもよいが、複数枚の畳体５によって室内床の一部に形成される畳コーナーの平面視における形状が矩形状となるように配設することが好ましい。また、畳体５の配設態様としては、図例のように、単一の角部（一角部）５ｃを形成するように室内床の一部に畳体５を配設する態様に限られない。例えば、複数枚の畳体５の最外周を壁面に沿わせずに、その四周側部の全周に亘って沿わせるようにして床板４を配設する態様としてもよい。この場合は、畳体５によって四つの角部が形成されることとなる。または、複数枚の畳体５の最外周の一側部を建物内の一壁面に沿わせるようにして配設してもよい。この場合は、残余の三側部に沿わせるようにして床板４を配設すればよく、また、畳体５によって二つの角部が形成されることとなる。また、このような畳体５の配設態様に応じた本数の見切具１を、畳体５と床板４との境界部分に沿って配設し、また、これら見切具１の本数に応じた見切接続具３を配設するようにすればよい。また、壁面８と畳体５との境界部分には、畳寄等を配設するようにしてもよい。
【００１３】
床板４は、無垢木材からなる床材や木質系材料等からなる平板状部材を積層した積層床材（積層フローリング）等からなり、図２（ｃ）及び図３に示すように、室内床の床下地２上に配設される。
畳体５は、本実施形態では、いわゆる薄畳を例示しており、図２（ｃ）及び図３に示すように、室内床の床下地２上に配設される。また、この畳体５は、本実施形態では、図２（ｃ）及び図３に示すように、床板４よりも厚い寸法とされている。この畳体５の厚さ寸法は、１５ｍｍ〜２０ｍｍ程度としてもよく、床板４の厚さ寸法は、１２ｍｍ〜１５ｍｍ程度としてもよい。図例では、畳体５の厚さ寸法を１５ｍｍとし、床板４の厚さ寸法を１２ｍｍとした例を示している。
【００１４】
本実施形態では、図４に示すように、複数枚の畳体５の最外周の一角部５ｃに向けて二本の見切具１，１を畳体５の最外周の側部にそれぞれ沿わせて配設した例を示している。また、これら二本の見切具１，１の一角部側端部１５，１５を、本実施形態に係る見切接続具３によって納めた例を示している。なお、本実施形態に係る見切接続具３の具体的構成については後述し、当該見切接続具３によって一角部側端部１５，１５が納められる見切具１，１の一例について説明する。
これら見切具１，１は、長尺状体とされ、床板４と畳体５との境界部分の長さ寸法にそれぞれ応じた長さ寸法とされている。
この見切具１は、図２（ｃ）及び図３に示すように、本例では、床板４と畳体５との間の床下地２に固定される見切受部材２０と、この見切受部材２０を覆う見切カバー部材１０と、を備えている。見切カバー部材１０は、見切受部材２０に嵌合して取り付けられる構造とされており、これら見切カバー部材１０及び見切受部材２０には、互いに嵌合する嵌合部１４，２３が設けられている。
【００１５】
見切受部材２０は、床下地２に固定される略平板状の固定片部２１と、上方に開口する嵌合部としての溝状部２３を形成するように幅方向に間隔を空けて固定片部２１から立ち上がる一対の立上壁部２２，２２と、を有している。見切受部材２０は、これら固定片部２１と一対の立上壁部２２，２２とによって上方に向けて開口する断面略コ字状（略Ｕ字状または略Ｃ字状）とされている。
固定片部２１の上面（溝状部２３の溝底面）の幅方向略中央部位には、略Ｖ字状の細凹溝２４が長手方向に沿って形成されている。このような細凹溝２４を設けることで、当該見切受部材２０を床下地２に固定する際に、釘やタッカー、ステイプル、ねじ等の固定止具９の誘いや目印とすることができ、施工性を向上させることができる。
【００１６】
一対の立上壁部２２，２２の互いに向き合う各対向面（溝状部２３の各内側面）には、係止部として、互いに向き合う方向に突出する係止突条が長手方向に沿って形成されている。図例では、これら立上壁部２２，２２の各対向面のそれぞれに一条の係止突条を設けた例を示している。見切受部材２０は、これら立上壁部２２，２２の立上方向先端面（上端面）が床板４の上面４ａと略同一平面状となるように形成されている。また、これら一対の立上壁部２２，２２のうちの床板４側の立上壁部２２の床板４側の側面及び固定片部２１の床板４側の端面は、同一平面とされ、床板４の側端面４ｂに対面して配設される床板側対面部となる。この床板側対面部に、床板４の側端面４ｂが当接または近接して配設される。
【００１７】
また、見切受部材２０は、畳体５側に設けられ、畳体５の側端面５ｂに対面して配設される対面部２６を有している。本実施形態では、見切受部材２０の対面部２６を、当該見切受部材２０の下端縁部（固定片部２１の畳体５側の端部）から畳体５側に向けて突出するように形成された突片部２５の突出方向先端面としている。この突片部２５は、一対の立上壁部２２，２２のうちの畳体５側の立上壁部２２の畳体５側に設けられている。この突片部２５の対面部２６に、畳体５の側端面５ｂが当接または近接して配設される。
見切受部材２０は、この突片部２５と、上記した固定片部２１及び一対の立上壁部２２，２２とによって断面略Ｆ字状とされている。
【００１８】
この見切受部材２０は、床下地２上に配設され、幅方向両側に床板４及び畳体５が配設された状態では、図３（ｂ）に示すように、溝状部２３に加えて、畳体５側の立上壁部２２と突片部２５と畳体５とによって上方に向けて開口する凹溝を形成する構成とされている。
また、この見切受部材２０の幅寸法は、床板４と畳体５との境界部分を見切る見切材としての見栄えや施工性、取り扱い性等の観点から、例えば、１０ｍｍ〜５０ｍｍ程度としてもよく、図例では、２０ｍｍ程度とした例を示している。
【００１９】
見切カバー部材１０は、見切受部材２０を覆う略平板状の受カバー部１１と、床板４側に設けられ、床板４の側端部上面４ｃを覆うように配設される鍔状部１２と、を有している。この見切カバー部材１０は、その上面となる受カバー部１１の上面１１ａが畳体５の上面５ａと略面一となるように配設される。本例では、当該見切カバー部材１０が施工された状態で、受カバー部１１の上面１１ａと畳体５の上面５ａとが完全な面一とはならずにこれらの間に僅かな段差が形成されるように受カバー部１１を形成している。図例では、当該見切カバー部材１０が施工された状態で、受カバー部１１の上面１１ａが畳体５の上面５ａよりも僅かに上方位置となるように受カバー部１１を形成した例を示している。
【００２０】
受カバー部１１の上面１１ａと畳体５の上面５ａとの段差寸法としては、見栄えやバリアフリー性等の観点から、５ｍｍ以下程度、好ましくは３ｍｍ以下程度としてもよく、この程度の段差を含んで略面一としている。なお、受カバー部１１を、その上面１１ａが畳体５の上面５ａよりも僅かに下方位置となるように形成してもよく、また、受カバー部１１の上面１１ａと畳体５の上面５ａとが完全な面一となるように形成してもよい。
受カバー部１１の厚さ寸法は、床板４と畳体５との厚さ寸法の差異に応じた寸法とされており、本例では、受カバー部１１の厚さ寸法を、床板４と畳体５との厚さ寸法の差異に上記段差寸法を加味した厚さ寸法としている。この受カバー部１１の厚さ寸法は、床板４と畳体５との厚さ寸法の差異や上記段差寸法にもよるが、見栄えやバリアフリー性等の観点から、１０ｍｍ以下程度、好ましくは５ｍｍ以下程度としてもよく、図例では、５ｍｍ程度とした例を示している。
【００２１】
また、本例では、見切カバー部材１０（受カバー部１１）の畳体５側の上面側縁部１１ｂを、突湾曲面形状とした突湾曲面部１１ｂとしている。畳体５は、床板４と比べて柔軟性があり、踏んだ際に僅かに沈み込むことが考えられ、見切カバー部材１０の畳体５側の上面側縁部を角張った形状とすれば、当該部位を踏んだ際に不快感が生じることも考えられるが、上記構成とすることで、このような不快感を低減させることができる。
なお、図例では、突湾曲面部１１ｂを、上記した受カバー部１１の上面１１ａと畳体５の上面５ａとの段差寸法に概ね応じた半径のＲ面取り形状とした例を示しているが、突湾曲面形状であれば、どのような形状としてもよい。例えば、この突湾曲面部１１ｂを、上記段差寸法よりも小さい半径のＲ面取り形状としてもよい。また、このような突湾曲面部１１ｂを設けないようにしてもよい。
【００２２】
鍔状部１２は、その下面が床板４の側端部上面４ｃに近接または当接するようにして対面して配設される。この鍔状部１２の幅寸法は、床板４の側端部上面４ｃを覆い得る寸法とすればよい。この鍔状部１２の幅寸法としては、床板４や当該見切具１の施工誤差、床板４の側端面４ｂの加工誤差等に起因して床板４との間に生じる場合がある隙間を確実に覆い隠す観点や、見栄え等の観点から、２ｍｍ〜１０ｍｍ程度としてもよい。図例では、鍔状部１２の幅寸法を、５ｍｍ程度とした例を示している。
また、本例では、鍔状部１２の上面１２ａを、床板４の上面４ａに向けて降るように傾斜する傾斜面１２ａとしている。このような構成とすることで、床板４とその側端部上面４ｃを覆うように配設される鍔状部１２の先端部（幅方向外方側端部）との段差を比較的に小さくすることができ、躓きや引っ掛かり等を抑制することができる。
なお、図例では、傾斜面１２ａを、見栄えや踏んだ際の感触を滑らかにする等の観点から突湾曲面とした例を示しているが、床板４の上面４ａに向けて降るように傾斜する形状であれば、どのような形状としてもよい。例えば、この傾斜面１２ａを、略平坦面としてもよく、または、凹湾曲面としてもよい。さらには、このような傾斜面１２ａを設けないようにしてもよい。
【００２３】
また、本例では、見切カバー部材１０の畳体５側に、見切受部材２０の突片部２５に対応させて畳体５側に向けて延出するとともに突片部２５の上面に向けて垂れ下がる垂下片部１３を設けている。つまり、見切カバー部材１０の鍔状部１２を除いた幅寸法が見切受部材２０の突片部２５を含む幅寸法と略同寸法となるように、受カバー部１１を畳体５側に向けて延出させるようにして垂下片部１３を設けている。この垂下片部１３は、上記した畳体５側の立上壁部２２と突片部２５と畳体５とによって形成される凹溝に嵌め込まれるようにして挿入される。
【００２４】
また、この垂下片部１３の畳体５側の側面は、当該見切カバー部材１０が見切受部材２０に取り付けられた状態で、見切受部材２０の突片部２５の対面部２６と略同一平面状となるように配設される。つまり、この垂下片部１３の畳体５側の側面が、畳体５の側端面５ｂに当接または近接して対面配置される見切カバー部材１０の畳体５側の対面部となる。
また、垂下片部１３の下端面は、当該見切カバー部材１０が見切受部材２０に取り付けられた状態で、見切受部材２０の突片部２５の上面に当接または近接して配設される。
【００２５】
また、本例では、見切カバー部材１０に、見切受部材２０の溝状部２３に挿入されて嵌合する嵌合部としての係合突片部１４を設けている。この係合突片部１４は、受カバー部１１の下面から下方に向けて突出し、当該見切カバー部材１０の長手方向に沿って形成されている。本例では、この係合突片部１４と、垂下片部１３とによって下方に向けて開口する凹溝が形成される構成としている。見切カバー部材１０は、この凹溝に見切受部材２０の畳体５側の立上壁部２２を受け入れるようにして係合突片部１４と垂下片部１３とによって見切受部材２０の畳体５側の立上壁部２２を挟むように見切受部材２０に係合する構成とされている。
【００２６】
この係合突片部１４の突出寸法は、当該見切カバー部材１０が見切受部材２０に取り付けられて受カバー部１１の下面が両立上壁部２２，２２の上端面に当接した状態で、溝状部２３の底面に当接しないように溝状部２３の深さ寸法よりも小さく形成されている。また、この係合突片部１４の幅方向外側面には、見切受部材２０の溝状部２３の内側面に設けられた係止突条に係止される被係止部が設けられている。図例では、被係止部として、幅方向外方側に向けて突出し、長手方向に沿って形成された複数本の係止突条を例示している。このように見切受部材２０及び見切カバー部材１０のそれぞれに互いに係止する係止部及び被係止部を設けることで、見切カバー部材１０を見切受部材２０に比較的に強固に取り付けることができる。
また、この係合突片部１４の突出方向先端部は、見切受部材２０の溝状部２３にスムーズに挿入が可能となるように先細り状のテーパー形状とされている。
【００２７】
また、本例では、係合突片部１４を、受カバー部１１の下面に幅方向に間隔を空けて設けられた一対のリブ状片部１４，１４とした例を示している。このように係合突片部を一対のリブ状片部１４，１４からなるものとすることで、これらの間の間隔を、これらリブ状片部１４，１４の互いに近接する方向への弾性変形を許容するスペースとすることができる。従って、見切受部材２０に見切カバー部材１０を取り付ける際には、これらリブ状片部１４，１４の変形を伴ってこれらリブ状片部１４，１４を見切受部材２０の溝状部２３にスムーズに嵌め入れることができ、比較的にスムーズに取り付けることが可能となる。なお、係合突片部としては、一対のリブ状片部１４，１４からなるものに限られず、単一のものとしてもよい。また、見切カバー部材１０の長手方向に沿って、その全長に亘って一連に係合突片部１４を設ける態様に限られず、長手方向に沿って間隔を空けて複数箇所に係合突片部１４を設ける態様としてもよい。
【００２８】
なお、上記した見切受部材２０及び見切カバー部材１０は、木質系材料から切削加工等によって一体的に上記形状にそれぞれ成形されたものとしてもよく、合成樹脂系材料から押出成形や射出成形、切削加工等によって一体的に上記形状にそれぞれ成形されたものとしてもよい。また、これら見切受部材２０及び見切カバー部材１０のそれぞれを、合成樹脂系材料に、木粉や無機フィラー、相溶化剤、着色剤などを所定の含有割合で含有させた木粉（木質）・プラスチック複合材（ＷＰＣ）からなるものとしてもよい。さらには、これら見切受部材２０及び見切カバー部材１０のそれぞれを、金属系材料からなるものとしてもよい。また、これら見切受部材２０及び見切カバー部材１０のそれぞれを、同質系材料から形成する態様に限られない。例えば、見切カバー部材１０を剛性等の観点から金属系材料からなるものとしたり、質感等の観点から木質系材料やＷＰＣからなるものとしたりし、見切受部材２０を成形性や取り扱い性、組付性等の観点から合成樹脂系材料やＷＰＣからなるものとしたりしてもよい。
【００２９】
上記構成とされた見切具１によれば、床板４とこの床板４よりも厚い畳体５との境界部分を見栄え良く納めることができる。つまり、見切具１は、床下地２に固定される見切受部材２０と、この見切受部材２０を覆う見切カバー部材１０とを備えている。従って、釘やねじ等の固定止具９によって見切受部材２０を固定した場合にもこの見切受部材２０が見切カバー部材１０で覆われるので固定止具９が露出せず、見栄えを向上させることができる。
また、見切カバー部材１０に、床板４の側端部上面４ｃを覆うように配設される鍔状部１２を設けている。従って、床板４や当該見切具１の施工誤差、床板４の側端面４ｂの加工誤差等に起因して床板４との間に隙間が形成されるような場合にも該隙間を覆い隠すことができ、見栄えを向上させることができる。また、これにより、床板４の畳体５側の側端部の加工を高精度に行う必要性が低減され、施工作業の効率化を図ることができる。
また、見切カバー部材１０の上面１１ａが畳体５の上面５ａと略面一となるように配設されるので、畳体５の側端面５ｂが大きく露出するようなことがなく、見栄えを向上させることができる。なお、見切カバー部材１０の畳体５側に、畳体５の側端部上面を覆う鍔状部を設けることも考えられるが、畳体５は、比較的に柔軟であるので、該鍔状部が踏まれること等によって変形したり、損傷したりすることも考えられる。また、畳縁を有した畳体５である場合には、床板４との境界部分の畳縁の一部分等が覆われてしまい、他の部位の畳縁との違和感が生じることも考えられる。上記構成によれば、このような問題を生じさせることなく見栄え良く納めることができる。
【００３０】
また、見切受部材２０に、畳体５の側端面５ｂに対面して配設される対面部２６を設けているので、後述するように、この対面部２６と畳体５の側端面５ｂとを突き合わせるようにして施工することができ、施工性を向上させることができる。
また、見切受部材２０に、床板４の側端面４ｂに対面して配設される上記床板側対面部を設けているので、後述するように、この床板側対面部と床板４の側端面４ｂとを突き合わせるようにして施工することができ、施工性を向上させることができる。
また、これらを施工した後に、見切受部材２０を覆う見切カバー部材１０を、見切受部材２０に嵌合して取り付けることができ、施工性を向上させることができる。なお、床板４の側端部上面４ｃを覆う鍔状部１２を見切カバー部材１０に設けているので、見切受部材２０に床板４の側端面４ｂと突き合わせられる床板側対面部を設けないようにしてもよい。
【００３１】
さらに、本例では、見切受部材２０に突片部２５を設け、見切カバー部材１０に垂下片部１３を設けている。従って、例えば、見切カバー部材１０の畳体５側に見切受部材２０の突片部２５に対応させた延出片のみを設けた場合と比べて、当該部位の浮きや変形等を抑制することができる。特に、本例では、見切カバー部材１０が見切受部材２０に取り付けられた状態で、垂下片部１３の下端面が見切受部材２０の突片部２５の上面に当接または近接して配設される構成としているので、上記のような浮きや変形等をより効果的に抑制することができる。
【００３２】
さらにまた、本例では、見切受部材２０に、溝状部２３を形成する一対の立上壁部２２，２２を設け、畳体５側の立上壁部２２の畳体５側に突片部２５を設け、見切カバー部材１０に、溝状部２３に挿入されて嵌合する係合突片部１４を設けている。従って、見切受部材２０の溝状部２３に見切カバー部材１０の係合突片部１４を挿入して嵌合させることで見切カバー部材１０を見切受部材２０に容易に取り付けることができる。また、見切カバー部材１０の係合突片部１４と垂下片部１３とが見切受部材２０の畳体５側の立上壁部２２を挟むようにしてこの立上壁部２２に係合するので、見切カバー部材１０の取付強度を向上させることができる。つまり、見切カバー部材１０の係合突片部１４及び垂下片部１３と見切受部材２０の溝状部２３及び畳体５側の立上壁部２２とが噛み合うように係合することとなり、見切カバー部材１０の取付強度を向上させることができる。
【００３３】
次に、上記構成とされた見切具１を用いた床板４と畳体５との境界部分の見切構造の施工手順の一例について簡単に説明する。
床板４が床下地２上に畳体５よりも先に施工されている場合には、床板４の側端面４ｂに、見切受部材２０の上記床板側対面部を突き付けるようにして当接させて床下地２上に配設する。そして、見切受部材２０の固定片部２１を介して固定止具９を床下地２に捩じ込み（または打ち込み）、見切受部材２０を床下地２に固定する。なお、見切受部材２０の床下地２への固定は、固定止具９による固定に代えて、または加えて、粘着テープ等の粘着材や接着剤によって固定するようにしてもよい。
次いで、畳体５の側端面５ｂを、見切受部材２０の畳体５側の対面部２６に突き付けるようにして当接させて床下地２上に配設し、また、見切カバー部材１０を見切受部材２０に取り付けるようにしてもよい。見切カバー部材１０の見切受部材２０への取付は、互いの嵌合部１４，２３による嵌合に加えて、接着剤等を併用するようにしてもよい。
【００３４】
一方、畳体５が床下地２上に床板４よりも先に施工されている場合には、上記とは概ね逆に、畳体５の側端面５ｂに、見切受部材２０の畳体５側の対面部２６を突き付けるようにして当接させて床下地２上に配設し、上記同様にして見切受部材２０を床下地２に固定する。次いで、床板４の側端面４ｂを、見切受部材２０の上記床板側対面部に突き付けるようにして当接させて床下地２上に配設し、見切カバー部材１０を見切受部材２０に取り付けるようにしてもよい。
【００３５】
本実施形態では、上述のように、少なくとも一角部５ｃを形成するように室内床の一部に畳体５を配設している。このような場合には、畳体５の一角部５ｃに向けてそれぞれ配設される各見切具１，１の一角部側端部をそれぞれ略４５度に切断し、これらの一角部側端部同士を突き合わせるようにして留継状に納めることも考えられるが、加工誤差や施工誤差等に起因してこれら端部間に隙間が生じることが考えられる。また、これらを隙間なく接合するためには、現場作業で微調整を行う必要があり面倒な作業ともなる。
そこで、これら見切具１，１の一角部側端部１５，１５を接続するように、本実施形態に係る見切接続具３が配設される。
【００３６】
見切接続具３は、図１に示すように、各見切具１，１の略４５度にそれぞれ切断された一角部側端部１５，１５が対向配置されて形成される隙間６を覆うとともにこれら見切具１，１の一角部側端部１５，１５の上面１６，１６を覆う接続カバー部材３０を備えている。本実施形態では、図１（ｂ）に示すように、各見切具１，１の見切カバー部材１０，１０の長手方向の各一端部を略４５度にそれぞれ切断して、これらの一角部側端部１５，１５間に隙間６が形成されるように、これらの一角部側端部１５，１５を対向配置させた例を示している。
【００３７】
なお、各見切具１，１の見切受部材２０，２０の各一角部側端部も同様にして隙間６を形成するように略４５度にそれぞれ切断するようにしてもよい。また、これら見切受部材２０，２０は、見切カバー部材１０，１０にそれぞれ覆われて表面側には露出しないので、略４５度にそれぞれ切断する態様に限られず、例えば、略９０度にそれぞれ切断するようにしてもよい。また、図例では、比較的に隙間６の幅寸法（対向配置される見切カバー部材１０，１０の一角部側端部１５，１５間の寸法）を大きく図示しているが、少なくとも後記する挿入片部３４の挿入が可能な寸法としてもよい。また、この隙間６の幅寸法は、後記するカバー本体部３１によって、各見切具１，１の一角部側端部１５，１５の上面１６，１６を覆い得る程度の寸法であればよい。また、図例では、対向配置される見切カバー部材１０，１０の一角部側端面同士が略平行となるように、これら見切カバー部材１０，１０の長手方向の各一端部を略４５度にそれぞれ切断した例を示しているが、このような態様に限られない。
【００３８】
接続カバー部材３０は、本実施形態では、隙間６に沿うようにして略帯板状に形成されたカバー本体部３１と、このカバー本体部３１に一体的に形成され、隙間６に挿入される挿入片部３４と、を備えている（図２も参照）。
カバー本体部３１は、図２（ａ）、（ｃ）に示すように、薄平板状とされており、図１（ａ）に示すように、隙間６に沿わせるようにして、各見切具１，１の長手方向に対して傾斜して配設される構造とされている。このカバー本体部３１は、隙間６の長さ寸法（上記幅寸法に直交する方向の寸法）に応じた長さとされるとともに、各見切カバー部材１０，１０の一角部側端部１５，１５の上面１６，１６を覆うように比較的幅狭とされている。このカバー本体部３１の幅方向両側の縁端部は、見切カバー部材１０，１０の一角部側端部１５，１５の上面１６，１６のそれぞれに向けて降るように傾斜する傾斜面とされている。
【００３９】
このカバー本体部３１は、各見切カバー部材１０，１０の表面に沿うように形成されており、その長手方向一端側（床板４側）に、各見切カバー部材１０，１０の鍔状部１２，１２の傾斜面１２ａ，１２ａに応じた傾斜カバー部３２を有している。この傾斜カバー部３２は、図３（ａ）に示すように、各見切カバー部材１０，１０の鍔状部１２，１２の傾斜面１２ａ，１２ａを覆うとともに、傾斜方向先端面が床板４の上面４ａに当接または近接して配設されるように形成されている。また、この傾斜カバー部３２は、図１（ａ）及び図２（ｂ）に示すように、各見切カバー部材１０，１０の鍔状部１２，１２の各先端面を接続するようにして出隅部を形成するように、平面視して略三角形状に突出した形状とされている。
【００４０】
また、カバー本体部３１は、その長手方向他端側（畳体５側）に、見切具１（見切カバー部材１０）と畳体５との間に差し込まれる差込片部３３を有している。この差込片部３３は、各見切カバー部材１０，１０の垂下片部１３，１３に応じた形状とされており、図３（ａ）に示すように、各見切カバー部材１０，１０の突湾曲面部１１ｂ，１１ｂを覆うとともに、垂下片部１３，１３の側面を覆うように形成されている。また、この差込片部３３は、図１（ａ）及び図２（ｂ）に示すように、各見切カバー部材１０，１０の垂下片部１３，１３の各側面を接続するようにして入隅部を形成するように、平面視して略Ｖ字状に凹んだ形状とされている。なお、図１（ａ）及び図３（ａ）では、差込片部３３が畳体５に重合しているように図示しているが、差込片部３３は比較的に薄く、また、畳体５は比較的に柔軟であるので、この差込片部３３は、畳体５の一角部５ｃの変形を伴って見切カバー部材１０と畳体５との間に差し込まれる。
また、カバー本体部３１は、当該カバー本体部３１の幅方向中心線を対称軸として略線対称な形状とされている。
【００４１】
挿入片部３４は、図２に示すように、薄平板状とされ、カバー本体部３１の幅方向略中心部の下面から下方に向けて垂れ下がるように形成されている。この挿入片部３４は、その両側の各側面が、対向配置される見切カバー部材１０，１０の一角部側端面のそれぞれに近接または当接するようにして対面配置される。
また、本実施形態では、挿入片部３４は、略三角形状に突出した形状とされた傾斜カバー部３２の頂角部位と略Ｖ字状に凹んだ形状とされた差込片部３３の底角部位とを接続するようにこれらの内側面にも連なるように設けられている。また、この挿入片部３４は、床板４との干渉を防止するように、傾斜カバー部３２側が切り欠かれた形状とされている。
【００４２】
また、本実施形態では、挿入片部３４に、見切カバー部材１０の一角部側端部１５の下面１７に係止される抜止突起３５を設けている。本実施形態では、図１及び図２（ｂ）に示すように、この抜止突起３５を、挿入片部３４の一側面にのみ設けており、対向配置される見切カバー部材１０，１０の一方の一角部側端部１５の下面１７に係止される構成とされている。
この抜止突起３５は、図１、図２（ａ）及び図３（ａ）に示すように、挿入片部３４の一側面から見切カバー部材１０の長手方向に沿う方向に棚状に突出し、その上面が見切カバー部材１０の一角部側端部１５の下面１７に近接または当接するようにして対面配置される。図例では、この抜止突起３５は、見切カバー部材１０の一対のリブ状片部１４，１４間の下面１７に係止される構成とされている。また、図例では、この抜止突起３５の下面側の挿入片部３４の一側面に、この抜止突起３５に略直交するように一連に形成されたリブ状突起を設けている。このようなリブ状突起を抜止突起３５の下面側に一連に設けることで、見切カバー部材１０の一角部側端部１５の下面１７に係止させる際等における抜止突起３５の変形や損傷等を抑制することができる。
なお、接続カバー部材３０は、合成樹脂系材料や、上記したＷＰＣ、金属系材料等から一体的に上記形状に成形されたものとしてもよい。
【００４３】
上記構成とされた見切接続具３としての接続カバー部材３０は、上述のように長手方向の各一端部が切断された各見切具１，１を、畳体５の一角部５ｃに向けてそれぞれ配設した後、これら見切具１，１の見切カバー部材１０，１０の一角部側端部１５，１５に取り付けるようにしてもよい。この接続カバー部材３０の見切カバー部材１０，１０への取り付けは、挿入片部３４の抜止突起３５を見切カバー部材１０の一角部側端部１５の下面１７に係止させるのみで取り付ける態様としてもよいが、これに加えて接着剤等によって接着するようにしてもよい。
【００４４】
上記構成とされた本実施形態に係る見切接続具３によれば、室内床の一部に配設される畳体５の一角部５ｃに向けてそれぞれ配設される見切具１，１の一角部側端部１５，１５を見栄え良く納めることができる。
つまり、各見切具１，１の一角部側端部１５，１５間の隙間６を覆うとともにこれら見切具１，１の一角部側端部１５，１５の上面１６，１６を覆う接続カバー部材３０を備えているので、これら見切具１，１の一角部側端部１５，１５を見栄え良く納めることができる。また、これにより、各見切具１，１（見切りカバー部材１０，１０）の一角部側端部１５，１５の加工や各見切具１，１（見切りカバー部材１０，１０）の施工を高精度に行う必要性が低減され、加工作業や施工作業の効率化を図ることができる。
【００４５】
また、本実施形態では、接続カバー部材３０を、隙間６に沿うようにして略帯板状に形成されたカバー本体部３１を備えた構成としている。従って、畳体５の一角部５ｃにおいて、カバー本体部３１が目立ち難く、すっきりとした外観となり、見栄えを向上させることができる。
また、本実施形態では、接続カバー部材３０を、このカバー本体部３１に一体的に形成され、隙間６に挿入される挿入片部３４を備えた構成としているので、挿入片部３４を隙間６に挿入することで、カバー本体部３１の位置合わせを容易に行うことができる。
【００４６】
さらに、本実施形態では、接続カバー部材３０のカバー本体部３１に、見切具１（見切カバー部材１０）と畳体５との間に差し込まれる差込片部３３を設けている。従って、カバー本体部３１に足指等が引っ掛けられたりしてカバー本体部３１が見切具１から脱離してしまうようなことを抑制することができる。なお、このような差込片部３３を設けずに、接続カバー部材３０のカバー本体部３１の長手方向他端側（畳体５側）を、床板４側と略同様、畳体５の上面５ａに当接または近接して配設される端面を有した形状としてもよい。
【００４７】
さらにまた、本実施形態では、接続カバー部材３０の挿入片部３４に、見切カバー部材１０の一角部側端部１５の下面１７に係止される抜止突起３５を設けている。従って、例えば、接続カバー部材３０を接着等のみによって見切カバー部材１０に取り付ける態様とした場合と比べて、接続カバー部材３０の取付強度を向上させることができる。なお、本実施形態では、挿入片部３４の一方の側面のみに抜止突起３５を設けた例を示しているが、挿入片部３４の両側側面に抜止突起をそれぞれに設ける態様としてもよい。さらには、このような抜止突起を設けないようにしてもよい。この場合には、挿入片部３４も設けないようにしてもよい。このようなものでも接続カバー部材３０のカバー本体部３１を、接着等によって見切カバー部材１０，１０に取り付けることができる。
【００４８】
次に、本発明に係る他の実施の形態について、図面を参照しながら説明する。
図５及び図６は、第２実施形態に係る見切接続具の一例を模式的に示す図である。
なお、上記第１実施形態との相違点について主に説明し、同様の構成については、同一符号を付し、その説明を省略または簡略に説明する。
【００４９】
本実施形態に係る見切接続具３Ａは、図５及び図６に示すように、床下地２に固定されるカバー保持部材４０を備えている点が上記第１実施形態に係る見切接続具３とは大きく異なる。
本実施形態では、畳体５の一角部５ｃに向けてそれぞれ配設される見切具１，１の各見切受部材２０，２０の長手方向の一端部を略９０度にそれぞれ切断して、これら一角部側端部２７，２７間にスペース７を形成している。図例では、これら一角部側端部２７，２７、床板４及び畳体５によって、平面視して略Ｌ字状のスペース７を形成した例を示しており、カバー保持部材４０は、このスペース７において床下地２に固定される構成とされている。
【００５０】
このカバー保持部材４０は、図５に示すように、各見切受部材２０，２０の一角部側端部２７，２７同士を接続するように平面視して略Ｌ字状に形成されている。また、このように略Ｌ字状に形成されたカバー保持部材４０の各辺部は、見切受部材２０に対応させて形成されており、見切受部材２０の縦断面形状と概ね同様の縦断面形状とされている。つまり、カバー保持部材４０の各辺部は、固定片部４１と、溝状部４３を形成する一対の立上壁部４２，４２と、突片部４５と、をそれぞれに備えている。なお、図例では、カバー保持部材４０の立上壁部４２，４２の各対向面に、上述のような係止部としての係止突条を設けていない例を示しているが、上記同様の係止突条を設けるようにしてもよい。
また、カバー保持部材４０の各辺部には、各見切受部材２０，２０の溝状部２３，２３に係合する係合突片４４，４４がそれぞれに設けられている。このような係合突片４４，４４をカバー保持部材４０に設けることで、当該カバー保持部材４０を床下地２上に配設する際における位置合わせ等を容易に行うことができ、施工性を向上させることができる。図例では、各係合突片４４，４４は、それぞれの固定片部４１，４１の上面に沿わせるようにして、それぞれに見切受部材２０，２０の長手方向に沿って突出するように形成されている。
【００５１】
また、カバー保持部材４０には、本実施形態に係る見切接続具３Ａが備える接続カバー部材３０Ａ（図６参照）の挿入片部３４Ａを保持する保持部４６が設けられている。
この保持部４６は、上記のように略Ｌ字状とされたカバー保持部材４０の角部に設けられており、各見切具１，１の見切カバー部材１０，１０の一角部側端部１５，１５間に形成される隙間６（図６（ａ）参照）に沿うように形成されている。この保持部４６は、カバー保持部材４０の各辺部の一対の立上壁部４２，４２の出隅部及び入隅部を接続するように、かつ固定片部４１から浮くようにして固定片部４１よりも上方位置となるように設けられている。
また、この保持部４６には、接続カバー部材３０Ａの挿入片部３４Ａが挿入される上下に貫通したスリット状の開口４７が設けられている。
なお、カバー保持部材４０は、合成樹脂系材料や、上記したＷＰＣ、金属系材料等から一体的に上記形状に成形されたものとしてもよい。
【００５２】
接続カバー部材３０Ａは、図６（ａ）に示すように、上記第１実施形態に係る接続カバー部材３０とは、挿入片部３４Ａの構成が主に異なる。
本実施形態では、挿入片部３４Ａは、隙間６の長さ方向に沿う両側に切欠部を形成するようにして、同長さ方向略中央部位の寸法が上記第１実施形態に係る接続カバー部材３０の挿入片部３４よりも小さく形成されている。また、この挿入片部３４Ａの上記略中央部位は、隙間６の長さ方向に沿って二股状に分割されており、これら分割片部の先端部（下端部）に、それぞれ逆側に向けて突出する爪状の係止突起３６，３６が設けられている。この挿入片部３４Ａは、カバー保持部材４０の保持部４６に設けられた開口４７に挿入されて係止突起３６，３６が保持部４６の下面側の開口縁に係止することで、カバー保持部材４０に係止されて保持される構造とされている。
【００５３】
上記構成とされた本実施形態に係る見切接続具３Ａは、以下のようにして施工するようにしてもよい。
まず、図５（ａ）に示すように、長手方向の一端部が略９０度にそれぞれ切断された各見切受部材２０，２０を、これらの一角部側端部２７，２７間にスペース７が形成されるように畳体５の一角部５ｃに向けてそれぞれ床下地２上に配設する。この際、上記第１実施形態において説明したように、床板４及び畳体５も同様にして床下地２上に配設するようにしてもよい。
次いで、図５（ｂ）に示すように、カバー保持部材４０の係合突片４４，４４を、各見切受部材２０，２０の一角部側端部２７，２７の溝状部２３，２３に嵌め込むようにして係合させ、カバー保持部材４０を床下地２に固定する。このカバー保持部材４０の床下地２への固定態様としては、上記した見切受部材２０の床下地２への固定態様と同様としてもよい。なお、図例では、カバー保持部材４０の各辺部の端面と各見切受部材２０，２０の各一角部側端面とを当接させたように図示しているが、これらの端面間は、見切カバー部材１０，１０によって覆われて表面側には露出しないので、これら端面間に隙間が形成されていてもよい。
【００５４】
そして、図６（ａ）に示すように、長手方向の各一端部が略４５度にそれぞれ切断された見切カバー部材１０，１０の一角部側端部１５，１５間に隙間６が形成されるように、各見切カバー部材１０，１０を各見切受部材２０，２０に取り付ける。
次いで、図６（ｂ）に示すように、接続カバー部材３０Ａの挿入片部３４Ａを、隙間６を介して挿入し、カバー保持部材４０の保持部４６（図５参照）に係止させて保持させる。なお、接続カバー部材３０Ａは、カバー保持部材４０に係止、保持させるのみとしてもよいが、上記同様、接着剤等によって見切カバー部材１０，１０に接着するようにしてもよい。
【００５５】
上記構成とされた本実施形態に係る見切接続具３Ａにおいても、上記第１実施形態と概ね同様の効果を奏する。
また、本実施形態では、見切接続具３Ａは、接続カバー部材３０Ａの挿入片部３４Ａを係止、保持するカバー保持部材４０を備えている。従って、各見切具１，１の端部形状に大きく依存することなく接続カバー部材３０Ａを比較的に強固にかつ確実に、見切具１，１の一角部側端部１５，１５に取り付けることができる。
なお、カバー保持部材４０は、スペース７において床下地２に固定され、接続カバー部材３０Ａの挿入片部３４Ａを係止、保持する構造のものであれば、上記したものに限られず、どのようなものとしてもよい。
【００５６】
また、上記各実施形態では、接続カバー部材３０（３０Ａ）のカバー本体部３１を、隙間６に沿うようにして略帯板状に形成されたものとした例を示しているが、このような態様に限られない。例えば、カバー本体部３１の形状を、平面視して略正方形状としたり、略三角形状としたりしてもよく、その他の多角形状、菱形状等としたりしてもよい。カバー本体部３１としては、対向配置される各見切カバー部材１０，１０の一角部側端部１５，１５の各上面１６，１６を、各一角部側端面間の隙間６を跨ぐように覆い得る形状とすればよい。
【００５７】
また、上記した例では、見切接続具３（３Ａ）によって一角部側端部が納められる見切具１の見切受部材２０に溝状部２３を設け、見切カバー部材１０に係合突片部１４を設けた例を示しているが、このような態様に限られない。例えば、見切受部材２０の幅方向両側に上記同様の突片部を設け、その中央部位等に上方に向けて突出する係合突片部を設け、見切カバー部材１０に、この係合突片部に嵌合する溝状部を形成するように幅方向に間隔を空けて一対の垂下片部を設けるようにしてもよい。この場合は、見切受部材２０の突片部を固定片部として把握するようにしてもよい。
また、上記した例では、見切受部材２０に突片部２５を設け、見切カバー部材１０に垂下片部１３を設けた例を示しているが、このような態様に代えて、見切カバー部材１０に、突片部２５に対応させて畳体５側に延出する延出片を設けた態様としてもよい。さらには、このような見切カバー部材１０の垂下片部１３や延出片、鍔状部１２及び見切受部材２０の突片部２５を設けないようにしてもよい。この場合は、見切受部材２０の畳体５側の立上壁部２２の畳体５側の側面及び見切カバー部材１０の受カバー部１１の畳体５側の側端面を、それぞれ畳体５側の対面部として把握するようにしてもよい。また、この場合は、見切接続具３（３Ａ）の接続カバー部材３０（３０Ａ）のカバー本体部３１を、見切カバー部材１０の形状に対応させて適宜、変形するようにしてもよい。
【００５８】
さらに、上記した例では、床板４とこの床板４よりも厚い畳体５との境界部分に沿って畳体５の一角部５ｃに向けてそれぞれ配設される見切具１，１を例示しているが、このような態様に限られない。例えば、厚さ寸法が互いに略同寸法とされた床板と畳体との境界部分に沿って配設される見切具としてもよい。この場合は、見切接続具３（３Ａ）の接続カバー部材３０（３０Ａ）のカバー本体部３１を、見切具１の形状に対応させて適宜、変形するようにしてもよい。
さらにまた、上記した例では、見切具１として、床板４と畳体５との間の床下地２に固定される見切受部材２０と、この見切受部材２０に取り付けられて見切受部材２０を覆う見切カバー部材１０と、を備えた二部材からなるものを例示しているが、このような態様に限られない。例えば、一部材からなる各見切具の一角部側端部を見切接続具３（３Ａ）によって納める態様としてもよい。
【符号の説明】
【００５９】
３，３Ａ      見切接続具
３０，３０Ａ  接続カバー部材
３１          カバー本体部
３３          差込片部
３４，３４Ａ  挿入片部
３５          抜止突起
４０          カバー保持部材
１            見切具
１０          見切カバー部材
１５          一角部側端部
１６          一角部側端部の上面
１７          一角部側端部の下面
２０          見切受部材
２７          一角部側端部
２            床下地
４            床板
５            畳体
５ｃ          畳体の一角部
６            隙間
７            スペース
【図１】
0005796224.tif 000002
【図２】
0005796224.tif 000003
【図３】
0005796224.tif 000004
【図４】
0005796224.tif 000005
【図５】
0005796224.tif 000006
【図６】
0005796224.tif 000007